(57)【特許請求の範囲】
【請求項１】
相手側部材に接続する接続部と、接続部に連続して設けられ、平形柔軟ケーブルに取り付けられる取付部とを備え、取付部は底板と、内面同士が向き合うように間隔をあけて底板から立ち上がる少なくとも一対の圧着片及び案内片とを備え、圧着片及び案内片を平形柔軟ケーブルに突き刺し、圧着片のうち平形柔軟ケーブルから突き出た突出部を、案内片に向かって押し倒し底板に向かって押圧すると、突出部の先端が案内片の内面に案内されることで突出部が平形柔軟ケーブルにおける圧着片に突き刺された部位と案内片に突き刺された部位との間の目標面を押圧するように構成したことを特徴とする平形柔軟ケーブルの電気接触子。
【請求項２】
相手側部材に接続する接続部と、接続部に連続して設けられ、平形柔軟ケーブルに取り付けられる取付部とを備え、取付部は底板と、内面同士が向き合うように間隔をあけて底板から立ち上がる少なくとも一対の圧着片及び案内片とを備え、圧着片は、底板に連続して設けられ且つ圧着片を平形柔軟ケーブルに突き刺したときに平形柔軟ケーブルに嵌入する基部と、この基部に連続して設けられると共に圧着片を平形柔軟ケーブルに突き刺したときに平形柔軟ケーブルから突き出し、案内片に向かって押し倒され底板に向かって押圧されると、先端が案内片の内面に案内されることで平形柔軟ケーブルにおける圧着片に突き刺された部位と案内片に突き刺された部位との間の目標面を押圧する突出部とを備えたことを特徴とする平形柔軟ケーブルの電気接触子。
【請求項３】
各対の圧着片及び案内片が底板の幅方向に沿って内面同士が向き合うように間隔をあけて立ち上がり、底板の長手方向に沿って圧着片と案内片とが交互に並ぶように圧着片及び案内片が複数対設けられ、全体として圧着片及び案内片がそれぞれ千鳥配置されている請求項１又は請求項２の平形柔軟ケーブルの電気接触子。
【請求項４】
底板には、圧着片及び案内片が立ち上がる側に向かって突き出て平形柔軟ケーブルに食い込む突起が設けられている請求項１ないし請求項３のうちいずれか１項の平形柔軟ケーブルの電気接触子。
【請求項５】
圧着片の内面には、平形柔軟ケーブルに食い込む突起が設けられている請求項１ないし請求項４のうちいずれか１項の平形柔軟ケーブルの電気接触子。
【請求項６】
平形柔軟ケーブルに電気接触子が取り付けられてなる電気接触子付き平形柔軟ケーブルであって、電気接触子は、相手側部材に接続する接続部と、接続部に連続して設けられ、平形柔軟ケーブルに取り付けられる取付部とを備え、取付部は底板と、内面同士が向き合うように間隔をあけて底板から立ち上がる少なくとも一対の圧着片及び案内片を備え、圧着片及び案内片は平形柔軟ケーブルを突き刺し、圧着片のうち平形柔軟ケーブルから突き出た突出部は、案内片に向かって倒れて先端が案内片の内面を押圧しており、突出部が平形柔軟ケーブルにおける圧着片に突き刺された部位と案内片に突き刺された部位との間の目標面を押圧していることを特徴とする電気接触子付き平形柔軟ケーブル。
【請求項７】
各対の圧着片及び案内片が底板の幅方向に沿って内面同士が向き合うように間隔をあけて立ち上がり、底板の長手方向に沿って圧着片と案内片とが交互に並ぶように圧着片及び案内片が複数対設けられ、全体として圧着片及び案内片がそれぞれ千鳥配置されている請求項６の電気接触子付き平形柔軟ケーブル。
【請求項８】
底板には、圧着片及び案内片が立ち上がる側に向かって突き出て平形柔軟ケーブルに食い込む突起が設けられている請求項６又は請求項７の電気接触子付き平形柔軟ケーブル。
【請求項９】
圧着片の内面には、平形柔軟ケーブルに食い込む突起が設けられている請求項６ないし請求項８のうちいずれか１項の電気接触子付き平形柔軟ケーブル。
【請求項１０】
請求項１ないし請求項５のうちいずれか１項の平形柔軟ケーブルの電気接触子を用いた電気接触子付き平形柔軟ケーブルの製造方法であって、圧着片及び案内片を平形柔軟ケーブルに突き刺し、圧着片のうち平形柔軟ケーブルから突き出た突出部を、案内片に向かって押し倒し、底板に向かって押圧し、突出部の先端が案内片の内面に案内されることで突出部を平形柔軟ケーブルにおける圧着片に突き刺された部位と案内片に突き刺された部位との間の目標面に押圧させることを特徴とする電気接触子付き平形柔軟ケーブルの製造方法。
【発明の詳細な説明】
【０００１】
【発明の属する技術分野】
本発明は、ＦＦＣ（フレキシブル・フラット・ケーブル）、ＦＰＣ（フレキシブル・プリンテッド・サーキット）などの平形柔軟ケーブルにピアシングにより取り付けられる電気接触子の技術分野に属する。本発明は、平形柔軟ケーブルとの電気接続の安定性を向上させ、また平形柔軟ケーブルからの抜け止めを防止した電気接触子に関する。
【０００２】
【従来の技術】
従来、ＦＰＣにピアシングにより取り付けられる電気接触子として、相手側の電気接触子等に接続する接続部と、接続部に連続して設けられ、底板から圧着片が間隔をあけて立ち上がりＦＰＣに接続する取付部とを備えた電気接触子が知られている（例えば特開平４−２２３０６９号公報を参照）。この電気接触子は、圧着片をＦＰＣに突き刺し、圧着片のうちＦＰＣから突き出た突出部をＦＰＣに向かって押し倒し底板に向かって押圧することで電気接触子をＦＰＣに取り付け、圧着片をＦＰＣの導体に接触させることで導体と電気接触子との電気的接続を果たすようにしている。
【０００３】
【発明が解決しようとする課題】
このようなピアシングを行う場合、加工誤差等により、加工機械から圧着片の突出部に付与された押圧力が突出部をＦＰＣに向かって押圧するために有効に利用されないことがある。例えば突出部に付与された押圧力が突出部をＦＰＣの表面に沿う方向に過剰に延ばすために利用されると、突出部のＦＰＣへの押圧力が充分には得られず、電気接触子とＦＰＣとの接続強度が設計目標を下回ることになる。そうなると、電気接触子とＦＰＣとの電気接続が不安定になり、また、例えばＦＰＣと電気接触子とに引っ張り力等の外力が負荷されたときには、電気接触子がＦＰＣから抜けるという不具合が起こる。このように接続強度が不十分な電気接触子付きのＦＰＣは不良品となり、製品の歩留まりを低下させる。このような課題は、この種の電気接触子をＦＦＣなど他の平形柔軟ケーブルに取り付ける場合にも起こる可能性がある。特に、平形柔軟ケーブルを薄型化し、電気接触子を小型化したときには、このような電気接続の安定性欠如、電気接触子の平形柔軟ケーブルからの脱落が起こりやすくなり、歩留まりの低下が起こりやすくなると考えられる。
【０００４】
本発明は、このような点に着目してなされたものであり、その目的とするところは、圧着片の突出部を押し倒し底板に向かって押圧するときに突出部の先端を対向する案内片に当てることで突出部に付与された押圧力を突出部が平形柔軟ケーブルの目標面に向かって押圧する力として有効に利用し、これによって突出部の平形柔軟ケーブルへの押圧力を充分に確保し又は突出部を平形柔軟ケーブルに充分な深さで食い込ませ、それによって電気接触子と平形柔軟ケーブルとの接続強度を向上させ、電気接続の安定性の向上及び電気接触子の平形柔軟ケーブルからの脱落防止を図り、電気接触子付き平形柔軟ケーブルの歩留まりの向上を図ることにある。
【０００５】
【課題を解決するための手段】
上記目的を達成するため、請求項１の平形柔軟ケーブルの電気接触子は、相手側部材に接続する接続部と、接続部に連続して設けられ、平形柔軟ケーブルに取り付けられる取付部とを備え、取付部は底板と、内面同士が向き合うように間隔をあけて底板から立ち上がる少なくとも一対の圧着片及び案内片とを備え、圧着片及び案内片を平形柔軟ケーブルに突き刺し、圧着片のうち平形柔軟ケーブルから突き出た突出部を、案内片に向かって押し倒し底板に向かって押圧すると、突出部の先端が案内片の内面に案内されることで突出部が平形柔軟ケーブルにおける圧着片に突き刺された部位と案内片に突き刺された部位との間の目標面を押圧するように構成したことを特徴としている。
【０００６】
この電気接触子は、圧着片及び案内片を平形柔軟ケーブルに突き刺し、圧着片のうち平形柔軟ケーブルから突き出た突出部を、案内片に向かって押し倒し底板に向かって押圧すると、突出部の先端が案内片の内面に案内されることで突出部が平形柔軟ケーブルにおける圧着片に突き刺された部位と案内片に突き刺された部位との間の目標面を押圧する。このとき、圧着片が平形柔軟ケーブルの導体を貫通する形態、案内片が平形柔軟ケーブルの導体を貫通する形態、圧着片の突出部が平形柔軟ケーブルの導体を押圧し又は導体に食い込む形態、底板が平形柔軟ケーブルの導体を押圧する形態のうち少なくとも１つの形態が実現されることで、電気接触子と平形柔軟ケーブルの導体との電気的接続が果たされる。その場合、圧着片の突出部の先端が案内片の内面に案内されることで突出部に付与された押圧力が突出部を平形柔軟ケーブルの目標面に向かって押圧する力として有効に利用されるので、突出部の平形柔軟ケーブルへの押圧力が充分に確保され又は突出部が平形柔軟ケーブルに充分な深さで食い込む。そのため、上記いずれの接続形態においても電気接触子と平形柔軟ケーブルとの接続強度が向上し、電気接続の安定性が向上すると共に、電気接触子の平形柔軟ケーブルからの脱落が防止され、電気接触子付き平形柔軟ケーブルの歩留まりが向上する。
【０００７】
請求項２の平形柔軟ケーブルの電気接触子は、相手側部材に接続する接続部と、接続部に連続して設けられ、平形柔軟ケーブルに取り付けられる取付部とを備え、取付部は底板と、内面同士が向き合うように間隔をあけて底板から立ち上がる少なくとも一対の圧着片及び案内片とを備え、圧着片は、底板に連続して設けられ且つ圧着片を平形柔軟ケーブルに突き刺したときに平形柔軟ケーブルに嵌入する基部と、この基部に連続して設けられると共に圧着片を平形柔軟ケーブルに突き刺したときに平形柔軟ケーブルから突き出し、案内片に向かって押し倒され底板に向かって押圧されると、先端が案内片の内面に案内されることで平形柔軟ケーブルにおける圧着片に突き刺された部位と案内片に突き刺された部位との間の目標面を押圧する突出部とを備えたことを特徴としている。
【０００８】
この電気接触子は、圧着片及び案内片を平形柔軟ケーブルに突き刺し、圧着片のうち平形柔軟ケーブルから突き出た突出部を、案内片に向かって押し倒し底板に向かって押圧すると、突出部の先端が案内片の内面に案内されることで突出部が平形柔軟ケーブルにおける圧着片に突き刺された部位と案内片に突き刺された部位との間の目標面を押圧する。このとき、圧着片が平形柔軟ケーブルの導体を貫通する形態、案内片が平形柔軟ケーブルの導体を貫通する形態、圧着片の突出部が平形柔軟ケーブルの導体を押圧し又は導体に食い込む形態、底板が平形柔軟ケーブルの導体を押圧する形態のうち少なくとも１つの形態が実現されることで、電気接触子と平形柔軟ケーブルの導体との電気的接続が果たされる。その場合、圧着片の突出部の先端が案内片の内面に案内されることで突出部に付与された押圧力が突出部を平形柔軟ケーブルの目標面に向かって押圧する力として有効に利用されるので、突出部の平形柔軟ケーブルへの押圧力が充分に確保され又は突出部が平形柔軟ケーブルに充分な深さで食い込む。そのため、上記いずれの接続形態においても電気接触子と平形柔軟ケーブルとの接続強度が向上し、電気接続の安定性が向上すると共に、電気接触子の平形柔軟ケーブルからの脱落が防止され、電気接触子付き平形柔軟ケーブルの歩留まりが向上する。
【０００９】
請求項３の平形柔軟ケーブルの電気接触子は、請求項１又は請求項２の電気接触子において、各対の圧着片及び案内片が底板の幅方向に沿って内面同士が向き合うように間隔をあけて立ち上がり、底板の長手方向に沿って圧着片と案内片とが交互に並ぶように圧着片及び案内片が複数対設けられ、全体として圧着片及び案内片がそれぞれ千鳥配置されている。
【００１０】
このようにすれば、複数対の圧着片及び案内片を設ける形態のなかでは、突出部の平形柔軟ケーブルを押圧する部位又は食い込む部位が電気接触子の取付部において、より均一に分布する。そのため、圧着片及び案内片の対の数が同一である形態のなかで、電気接触子と平形柔軟ケーブルとの接続強度が高くなり、電気接続の安定性が向上すると共に、電気接触子の平形柔軟ケーブルからの脱落が防止される。
【００１１】
請求項４の平形柔軟ケーブルの電気接触子は、請求項１ないし請求項３のうちいずれか１項の電気接触子において、底板には、圧着片及び案内片が立ち上がる側に向かって突き出て平形柔軟ケーブルに食い込む突起が設けられている。
【００１２】
このようにすれば、突起が平形柔軟ケーブルに食い込むので、電気接触子と平形柔軟ケーブルとの間で滑りが生じ難くなり。電気接触子の平形柔軟ケーブルからの脱落が更に防止される。
【００１３】
請求項５の平形柔軟ケーブルの電気接触子は、請求項１ないし請求項４のうちいずれか１項の電気接触子において、圧着片の内面には、平形柔軟ケーブルに食い込む突起が設けられている。
【００１４】
このようにすれば、突起が平形柔軟ケーブルに食い込むので、電気接触子と平形柔軟ケーブルとの間で滑りが生じ難くなり。電気接触子の平形柔軟ケーブルからの脱落が更に防止される。
【００１５】
請求項６は平形柔軟ケーブルに電気接触子が取り付けられてなる電気接触子付き平形柔軟ケーブルであって、電気接触子は、相手側部材に接続する接続部と、接続部に連続して設けられ、平形柔軟ケーブルに取り付けられる取付部とを備え、取付部は底板と、内面同士が向き合うように間隔をあけて底板から立ち上がる少なくとも一対の圧着片及び案内片を備え、圧着片及び案内片は平形柔軟ケーブルを突き刺し、圧着片のうち平形柔軟ケーブルから突き出た突出部は、案内片に向かって倒れて先端が案内片の内面を押圧しており、突出部が平形柔軟ケーブルにおける圧着片に突き刺された部位と案内片に突き刺された部位との間の目標面を押圧していることを特徴としている。
【００１６】
この電気接触子付き平形柔軟ケーブルは、電気接触子の圧着片及び案内片を平形柔軟ケーブルに突き刺し、圧着片のうち平形柔軟ケーブルから突き出た突出部を、案内片に向かって押し倒し底板に向かって押圧することで得られる。その過程において、突出部の先端が案内片の内面に案内されることで突出部が平形柔軟ケーブルにおける圧着片に突き刺された部位と案内片に突き刺された部位との間の目標面を押圧する。このとき、圧着片が平形柔軟ケーブルの導体を貫通する形態、案内片が平形柔軟ケーブルの導体を貫通する形態、圧着片の突出部が平形柔軟ケーブルの導体を押圧し又は導体に食い込む形態、底板が平形柔軟ケーブルの導体を押圧する形態のうち少なくとも１つの形態が実現されることで、電気接触子と平形柔軟ケーブルの導体との電気的接続が果たされている。その場合、圧着片の突出部の先端が案内片の内面に案内されることで突出部に付与された押圧力が突出部を平形柔軟ケーブルの目標面に向かって押圧する力として有効に利用されるので、突出部の平形柔軟ケーブルへの押圧力が充分に確保され又は突出部が平形柔軟ケーブルに充分な深さで食い込む。そのため、上記いずれの接続形態においても電気接触子と平形柔軟ケーブルとの接続強度が向上し、電気接続の安定性が向上すると共に、電気接触子の平形柔軟ケーブルからの脱落が防止され、電気接触子付き平形柔軟ケーブルの歩留まりが向上する。
【００１７】
請求項７の電気接触子付き平形柔軟ケーブルは、請求項６の電気接触子付き平形柔軟ケーブルにおいて、各対の圧着片及び案内片が底板の幅方向に沿って内面同士が向き合うように間隔をあけて立ち上がり、底板の長手方向に沿って圧着片と案内片とが交互に並ぶように圧着片及び案内片が複数対設けられ、全体として圧着片及び案内片がそれぞれ千鳥配置されている。
【００１８】
このようにすれば、複数対の圧着片及び案内片を設ける形態のなかでは、突出部の平形柔軟ケーブルを押圧する部位又は食い込む部位が電気接触子の取付部において、より均一に分布する。そのため、圧着片及び案内片の対の数が同一である形態のなかで、電気接触子と平形柔軟ケーブルとの接続強度が高くなり、電気接続の安定性が向上すると共に、電気接触子の平形柔軟ケーブルからの脱落が防止される。
【００１９】
請求項８の電気接触子付き平形柔軟ケーブルは、請求項６又は請求項７の電気接触子付き平形柔軟ケーブルにおいて、底板には、圧着片及び案内片が立ち上がる側に向かって突き出て平形柔軟ケーブルに食い込む突起が設けられている。
【００２０】
このようにすれば、突起が平形柔軟ケーブルに食い込むので、電気接触子と平形柔軟ケーブルとの間で滑りが生じ難くなり。電気接触子の平形柔軟ケーブルからの脱落が更に防止される。
【００２１】
請求項９の電気接触子付き平形柔軟ケーブルは、請求項６ないし請求項８のうちいずれか１項の電気接触子付き平形柔軟ケーブルにおいて、圧着片の内面には、平形柔軟ケーブルに食い込む突起が設けられている。
【００２２】
このようにすれば、突起が平形柔軟ケーブルに食い込むので、電気接触子と平形柔軟ケーブルとの間で滑りが生じ難くなり。電気接触子の平形柔軟ケーブルからの脱落が更に防止される。
【００２３】
請求項１０は請求項１ないし請求項５のうちいずれか１項の平形柔軟ケーブルの電気接触子を用いた電気接触子付き平形柔軟ケーブルの製造方法であって、圧着片及び案内片を平形柔軟ケーブルに突き刺し、圧着片のうち平形柔軟ケーブルから突き出た突出部を、案内片に向かって押し倒し、底板に向かって押圧し、突出部の先端が案内片の内面に案内されることで突出部を平形柔軟ケーブルにおける圧着片に突き刺された部位と案内片に突き刺された部位との間の目標面に押圧させることを特徴としている。
【００２４】
この製造方法により得られた電気接触子付き平形柔軟ケーブルの場合、圧着片が平形柔軟ケーブルの導体を貫通する形態、案内片が平形柔軟ケーブルの導体を貫通する形態、圧着片の突出部が平形柔軟ケーブルの導体を押圧し又は導体に食い込む形態、底板が平形柔軟ケーブルの導体を押圧する形態のうち少なくとも１つの形態が実現されることで、電気接触子と平形柔軟ケーブルの導体との電気的接続が果たされている。その場合、圧着片の突出部の先端が案内片の内面に案内されることで突出部に付与された押圧力が突出部を平形柔軟ケーブルの目標面に向かって押圧する力として有効に利用されるので、突出部の平形柔軟ケーブルへの押圧力が充分に確保され又は突出部が平形柔軟ケーブルに充分な深さで食い込む。そのため、上記いずれの接続形態においても電気接触子と平形柔軟ケーブルとの接続強度が向上し、電気接続の安定性が向上すると共に、電気接触子の平形柔軟ケーブルからの脱落が防止され、電気接触子付き平形柔軟ケーブルの歩留まりが向上する。
【００２５】
【発明の実施の形態】
以下、本発明の実施の形態を説明する。図１ないし図４は第１実施形態である平形柔軟ケーブル２００の電気接触子１００を示す。平形柔軟ケーブル２００は、箔状の導体２１０を柔軟性を有する面状の絶縁体２２０の両面、片面、又は中間層に設けてなる。この平形柔軟ケーブル２００としては、ＦＦＣ、ＦＰＣが例示される。
【００２６】
上記電気接触子１００は、相手側部材に接続する接続部１１０と、接続部１１０に連続して設けられ、平形柔軟ケーブル２００に取り付けられる取付部１２０とを備えている。この実施形態の電気接触子１００は雌形であるので、接続部１１０は箱形に形成され、内部に板バネが設けられている。相手側部材は相手側の雄形の電気接触子（図示省略）である。本発明は他の形態の接続部を有する雌形電気接触子にも適用することができるし、ピン形その他の形態の接続部を有する雄形の電気接触子にも適用することができる。さらに、本発明は例えば接続部がバレルである電気接触子など、他の形態の接続部を有する電気接触子にも適用することができる。
【００２７】
取付部１２０は、平板状の底板１２１と、内面同士１２２ａ、１２３ａが向き合うように間隔をあけて底板１２１から立ち上がる少なくとも一対の圧着片１２２及び案内片１２３とを備えている。この実施形態では、圧着片１２２及び案内片１２３が略矩形状の底板１２１の幅方向に沿って向き合っている。詳しくは略矩形状の底板１２１の幅方向の一端から圧着片１２２が、他端から案内片１２３がそれぞれ立ち上がっており、三対の圧着片１２２及び案内片１２３が設けられているが、これによって底板の形状、圧着片及び案内片の配置及び対数が限定されるものではない。圧着片１２２及び案内片１２３は、平形柔軟ケーブル２００に突き刺されるから、先端の厚さが薄く形成され又は先端の幅が狭く形成され、またはこれらを組み合わせることが好ましい。
【００２８】
取付部１２０における圧着片１２２及び案内片１２３の配置、圧着片１２２及び案内片１２３の形状は、次の作用が得られるように決定される。その作用とは、図５ないし図９に示すように、圧着片１２２及び案内片１２３を平形柔軟ケーブル２００に突き刺し、圧着片１２２のうち平形柔軟ケーブル２００から突き出た突出部１２２ｃを、案内片１２３に向かって押し倒し底板１２１に向かって押圧すると、突出部１２２ｃの先端１２２ｃ’が案内片１２３の内面１２３ａに案内されることで突出部１２２ｃが平形柔軟ケーブル２００における圧着片１２２に突き刺された部位２３０と案内片１２３に突き刺された部位２４０との間の目標面２５０を押圧するというものである。
【００２９】
すなわち、圧着片１２２は、底板１２１に連続して設けられた基部１２２ｂと、この基部１２２ｂに連続して設けられた突出部１２２ｃとを備えている。圧着片１２２を平形柔軟ケーブル２００に突き刺したときに平形柔軟ケーブル２００のなかに嵌入している部分が基部１２２ｂであり、平形柔軟ケーブル２００から突き出る部分が突出部１２２ｃである。そして、突出部１２２ｃは、案内片１２３に向かって押し倒され底板１２１に向かって押圧されると、先端１２２ｃ’が案内片１２３の内面１２３ａに案内されることで平形柔軟ケーブル２００における圧着片１２２に突き刺された部位２３０と案内片１２３に突き刺された部位２４０との間の目標面２５０を押圧する。そのためには、図８及び図９に示すように、基部１２２ｂの高さＡが平形柔軟ケーブル２００の厚さｔにほぼ等しいこと、つまり（Ａ＝ｔ）であることが求められる。しかも、突出部１２２ｃの高さＢが圧着片１２２及び案内片１２３の内面間の距離ｄと等しいかそれ以上であること、つまり（Ｂ≧ｄ）であることが求められる。
【００３０】
図１ないし図４に示すように、この電気接触子１００では、各対の圧着片１２２及び案内片１２３が底板１２１の幅方向に沿って内面同士１２２ａ、１２３ａが向き合うように間隔をあけて立ち上がり、底板１２１の長手方向に沿って圧着片１２２と案内片１２３とが交互に並ぶように圧着片１２２及び案内片１２３が複数対設けられ、全体として圧着片１２２及び案内片１２３がそれぞれ千鳥配置されている。
【００３１】
図３及び図４に示すように、この電気接触子１００では、底板１２１に、圧着片１２２及び案内片１２３が立ち上がる側に向かって突き出て平形柔軟ケーブル２００に食い込む突起１２２ｄが設けられている。この突起１２２ｄは、例えばシアリング加工により底板１２１の一部を圧着片１２２及び案内片１２３が立ち上がる側に向かって切り起こすことで形成されている。この実施形態では突起１２２ｄを横に寝た三角錐状の形状に形成しているが、これによって突起の形状が限定されるものではない。
【００３２】
上記電気接触子１００を用いた電気接触子付き平形柔軟ケーブルの製造方法を図８により説明する。まず、圧着片１２２及び案内片１２３を平形柔軟ケーブル２００に突き刺す（最初の図）。次いで、圧着片１２２のうち平形柔軟ケーブル２００から突き出た突出部１２２ｃを、案内片１２３に向かって押し倒し、底板１２１に向かって押圧する（２番目の図から３番目の図）。そして、突出部１２２ｃの先端１２２ｃ’が案内片１２３の内面１２３ａに案内されることで突出部１２２ｃを平形柔軟ケーブル２００における圧着片１２２に突き刺された部位２３０と案内片１２３に突き刺された部位２４０との間の目標面２５０に押圧させる（最後の図）。図９に示した製造方法は、図８の製造方法に較べて最終段階で突出部１２２ｃを底板１２１に向かって更に強く押圧して、圧着片１２２の突出部１２２ｃを、少なくとも先端側で平形柔軟ケーブル２００の導体２１０に食い込ませている。これらの実施形態は、導体２１０を絶縁体２２０の中間層に設けた平形柔軟ケーブル２００を図示して説明しているが、導体２１０を絶縁体２２０の両面又は片面に設けた平形柔軟ケーブル２００を用いた場合でも同様の製造方法を用いることができる。導体２１０を絶縁体２２０の中間層に設けた平形柔軟ケーブル２００に突出部１２２ｃが食い込む場合、本発明は、突出部１２２ｃが平形柔軟ケーブル２００の絶縁体２２０に食い込んで導体２１０にまでは至らない実施形態と、突出部１２２ｃが平形柔軟ケーブル２００の導体２１０まで食い込む実施形態との両方を含む。
【００３３】
従って、この第１実施形態の電気接触子１００の場合、圧着片１２２及び案内片１２３を平形柔軟ケーブル２００に突き刺し、圧着片１２２のうち平形柔軟ケーブル２００から突き出た突出部１２２ｃを、案内片１２３に向かって押し倒し底板１２１に向かって押圧すると、突出部１２２ｃの先端１２２ｃ’が案内片１２３の内面１２３ａに案内されることで突出部１２２ｃが平形柔軟ケーブル２００における圧着片１２２に突き刺された部位２３０と案内片１２３に突き刺された部位２４０との間の目標面２５０を押圧する。このとき、図８で示した形態では圧着片１２２及び案内片１２３が平形柔軟ケーブル２００の導体２１０を貫通することで、電気接触子１００と平形柔軟ケーブル２００の導体２１０との電気的接続が果たされる。図９で示した形態では圧着片１２２及び案内片１２３が平形柔軟ケーブル２００の導体２１０を貫通し、圧着片１２２の突出部１２２ｃが平形柔軟ケーブル２００の導体２１０に食い込むことで、電気接触子１００と平形柔軟ケーブル２００の導体２１０との電気的接続が果たされる。導体２１０が絶縁体２２０の表面に露出している平形柔軟ケーブル２００を用いたときには、圧着片１２２の突出部１２２ｃが平形柔軟ケーブルの導体を押圧することでも電気接触子１００と平形柔軟ケーブル２００の導体２１０との電気的接続が果たされる。いずれの場合でも、圧着片１２２の突出部１２２ｃの先端１２２ｃ’が案内片１２３の内面１２３ａに案内されることで突出部１２２ｃに付与された押圧力が突出部１２２ｃを平形柔軟ケーブル２００の目標面２５０に向かって押圧する力として有効に利用されるので、突出部１２２ｃの平形柔軟ケーブル２００への押圧力が充分に確保され又は突出部１２２ｃが平形柔軟ケーブル２００に充分な深さで食い込む。そのため、上記いずれの接続形態においても電気接触子１００と平形柔軟ケーブル２００との接続強度が向上し、電気接続の安定性が向上すると共に、電気接触子１００の平形柔軟ケーブル２００からの脱落が防止され、電気接触子付き平形柔軟ケーブルの歩留まりが向上する。
【００３４】
電気接触子１００の平形柔軟ケーブル２００の導体２１０との接続形態は種々あり、圧着片１２２が平形柔軟ケーブル２００の導体２１０を貫通する形態、案内片１２３が平形柔軟ケーブル２００の導体２１０を貫通する形態、圧着片１２２の突出部１２２ｃが平形柔軟ケーブル２００の導体２１０を押圧し又は導体２１０に食い込む形態、底板１２１が平形柔軟ケーブル２００の導体２１０を押圧する形態のうち少なくとも１つの形態が実現されることで、電気接触子１００と平形柔軟ケーブル２００の導体２１０との電気的接続が果たされる。従って、例えば、図１０に示すように、圧着片１２２のみが平形柔軟ケーブル２００の導体２１０を貫通する形態、図１１に示すように、案内片１２３のみが平形柔軟ケーブル２００の導体２１０を貫通する形態、図１２に示すように、圧着片１２２及び案内片１２３のいずれもが平形柔軟ケーブル２００の導体２１０から外れた部分を貫通し、圧着片１２２の突出部１２２ｃが平形柔軟ケーブル２００の表面にある導体２１０を押圧する形態、図１３に示すように、圧着片１２２及び案内片１２３のいずれもが平形柔軟ケーブル２００の導体２１０から外れた部分を貫通し、圧着片１２２の突出部１２２ｃが平形柔軟ケーブル２００の導体２１０に食い込む形態、及びこれらを組み合わせた形態は、いずれも本発明の対象とする接続形態に含まれる。
【００３５】
図１４及び図１５は別の接続形態を示し、いずれも本発明に含まれる接続形態である。図１４は、案内片１２３が圧着片１２２の突出部１２２ｃに押されて圧着片１２２から離れる方向に若干傾斜している形態である。図１５は、案内片１２３の先端を圧着片１２２の突出部１２２ｃに被さる方向に押圧して曲げた形態である。
【００３６】
本発明は、二対以上の圧着片及び案内片を設けたときの各対の配置を限定するものではない。そのなかで、上記第１実施形態の電気接触子１００は、全体として圧着片１２２及び案内片１２３をそれぞれ千鳥配置している。このようにすれば、複数対の圧着片１２２及び案内片１２３を設ける形態のなかでは、突出部１２２ｃの平形柔軟ケーブル２００を押圧する部位又は食い込む部位が電気接触子１００の取付部１２０において、より均一に分布する。そのため、圧着片１２２及び案内片１２３の対の数が同一である形態のなかで、電気接触子１００と平形柔軟ケーブル２００との接続強度が高くなり、電気接続の安定性が向上すると共に、電気接触子１００の平形柔軟ケーブル２００からの脱落が防止される。
【００３７】
本発明は、取付部の底板を平滑にした実施形態を含む。そのなかで、上記第１実施形態の電気接触子１００は、底板１２１に、圧着片１２２及び案内片１２３が立ち上がる側に向かって突き出て平形柔軟ケーブル２００に食い込む突起１２１ａを設けている。このようにすれば、突起１２１ａが平形柔軟ケーブル２００に食い込むので、電気接触子１００と平形柔軟ケーブル２００との間で滑りが生じ難くなり。電気接触子１００の平形柔軟ケーブル２００からの脱落が更に防止される。
【００３８】
図１６及び図１７は第２実施形態の電気接触子１００を示す。図１６は第１実施形態の図８で示した形態に、図１７は第１実施形態の図９で示した形態にそれぞれ対応する。第１実施形態の電気接触子１００と同一の機能を発揮する部材には同一の符合を付してその説明を省略する。上記第１実施形態の電気接触子１００と異なることは、第２実施形態の電気接触子１００は、圧着片１２２の内面１２２ａに、平形柔軟ケーブル２００に食い込む突起１２２ｄが設けられている。このようにすれば、第１実施形態と同様の作用及び効果が得られる上、突起１２２ｄが平形柔軟ケーブル２００に食い込むので、電気接触子１００と平形柔軟ケーブル２００との間で滑りが生じ難くなり。電気接触子１００の平形柔軟ケーブル２００からの脱落が更に防止される。
【００３９】
図１８及び図１９は第３実施形態の電気接触子１００を示す。第１実施形態の電気接触子１００と同一の機能を発揮する部材には同一の符合を付してその説明を省略する。上記第１実施形態の電気接触子１００は、圧着片１２２及び案内片１２３が略矩形状の底板１２１の幅方向に沿って向き合っていた。これに対して第３実施形態の電気接触子１００は、圧着片１２２及び案内片１２３が略矩形状の底板１２１の長手方向に沿って向き合っている。このようにしても、第１実施形態と同様の作用及び効果が得られる。
【００４０】
本発明は以上説明した実施形態により限定解釈されるものではない。また、本発明はこれらの実施形態の特徴を組み合わせてなる実施形態を含むものである。
【００４１】
【発明の効果】
請求項１の平形柔軟ケーブルの電気接触子は、圧着片の突出部を押し倒し底板に向かって押圧するときに突出部の先端を案内片に当てることで突出部に付与された押圧力を突出部が平形柔軟ケーブルの目標面に向かって押圧する力として有効に利用するので、突出部の平形柔軟ケーブルへの押圧力を充分に確保し又は突出部を平形柔軟ケーブルに充分な深さで食い込ませ、それによって電気接触子と平形柔軟ケーブルとの接続強度を向上させ、電気接続の安定性を向上させることができると共に、電気接触子の平形柔軟ケーブルからの脱落を防止することができ、更に電気接触子付き平形柔軟ケーブルの歩留まりを向上させることができる。
【００４２】
請求項２の平形柔軟ケーブルの電気接触子は、請求項１の平形柔軟ケーブルの電気接触子と同様の効果を得ることができる。
【００４３】
請求項３のようにすれば、複数対の圧着片及び案内片を設ける場合、対の数が同一である形態のなかでは、電気接触子と平形柔軟ケーブルとの接続強度が高くなり、電気接続の安定性を向上させることができると共に、電気接触子の平形柔軟ケーブルからの脱落を防止することができる。
【００４４】
請求項４のようにすれば、底板の突起が平形柔軟ケーブルに食い込むので、電気接触子と平形柔軟ケーブルとの間で滑りが生じ難くなり。電気接触子の平形柔軟ケーブルからの脱落を更に防止することができる。
【００４５】
請求項５のようにすれば、圧着片の突起が平形柔軟ケーブルに食い込むので、電気接触子と平形柔軟ケーブルとの間で滑りが生じ難くなり。電気接触子の平形柔軟ケーブルからの脱落を更に防止することができる。
【００４６】
請求項６の電気接触子付き平形柔軟ケーブルは、圧着片の突出部を押し倒し底板に向かって押圧するときに突出部の先端を案内片に当てることで突出部に付与された押圧力を突出部が平形柔軟ケーブルの目標面に向かって押圧する力として有効に利用するので、突出部の平形柔軟ケーブルへの押圧力を充分に確保し又は突出部を平形柔軟ケーブルに充分な深さで食い込ませ、それによって電気接触子と平形柔軟ケーブルとの接続強度を向上させ、電気接続の安定性を向上させることができると共に、電気接触子の平形柔軟ケーブルからの脱落を防止することができ、更に電気接触子付き平形柔軟ケーブルの歩留まりを向上させることができる。
【００４７】
請求項７のようにすれば、複数対の圧着片及び案内片を設ける場合、対の数が同一である形態のなかでは、電気接触子と平形柔軟ケーブルとの接続強度が高くなり、電気接続の安定性を向上させることができると共に、電気接触子の平形柔軟ケーブルからの脱落を防止することができる。
【００４８】
請求項８のようにすれば、底板の突起が平形柔軟ケーブルに食い込むので、電気接触子と平形柔軟ケーブルとの間で滑りが生じ難くなり。電気接触子の平形柔軟ケーブルからの脱落を更に防止することができる。
【００４９】
請求項９のようにすれば、圧着片の突起が平形柔軟ケーブルに食い込むので、電気接触子と平形柔軟ケーブルとの間で滑りが生じ難くなり。電気接触子の平形柔軟ケーブルからの脱落を更に防止することができる。
【００５０】
請求項１０の電気接触子付き平形柔軟ケーブルの製造方法は、圧着片の突出部を押し倒し底板に向かって押圧するときに突出部の先端を案内片に当てることで突出部に付与された押圧力を突出部が平形柔軟ケーブルの目標面に向かって押圧する力として有効に利用するので、突出部の平形柔軟ケーブルへの押圧力を充分に確保し又は突出部を平形柔軟ケーブルに充分な深さで食い込ませ、それによって電気接触子と平形柔軟ケーブルとの接続強度を向上させ、電気接続の安定性を向上させることができると共に、電気接触子の平形柔軟ケーブルからの脱落を防止することができ、更に電気接触子付き平形柔軟ケーブルの歩留まりを向上させることができる。
【図面の簡単な説明】
【図１】第１実施形態の電気接触子の斜視図である。
【図２】上記電気接触子の側面図である。
【図３】上記電気接触子の平面図である。
【図４】上記電気接触子の取付部の底板を切断したときの側面図である。
【図５】上記電気接触子を平形柔軟ケーブルに取り付けたときの側面図である。
【図６】上記電気接触子を平形柔軟ケーブルに取り付けたときの平面図である。
【図７】上記電気接触子を平形柔軟ケーブルに取り付けたときの要部の斜視図である。圧着片及び案内片は仮想線で示している。
【図８】上記電気接触子を平形柔軟ケーブルに取り付けるときの手順を示す断面図である。
【図９】上記電気接触子を平形柔軟ケーブルに取り付けるときの別の手順を示す断面図である。
【図１０】上記電気接触子の圧着片のみが平形柔軟ケーブルの導体を貫通する接続形態を示す断面図である。
【図１１】上記電気接触子の案内片のみが平形柔軟ケーブルの導体を貫通する接続形態を示す断面図である。
【図１２】上記電気接触子の圧着片及び案内片のいずれもが平形柔軟ケーブルの導体から外れた部分を貫通し、圧着片の突出部が平形柔軟ケーブルの導体を押圧する形態を示す断面図である。
【図１３】上記電気接触子の圧着片及び案内片のいずれもが平形柔軟ケーブルの導体から外れた部分を貫通し、圧着片の突出部が平形柔軟ケーブルの導体に食い込む形態を示す断面図である。
【図１４】上記電気接触子と平形柔軟ケーブルとの他の接続形態を示す断面図である。
【図１５】上記電気接触子と平形柔軟ケーブルとの他の接続形態を示す断面図である。
【図１６】第２実施形態の電気接触子を平形柔軟ケーブルに取り付けるときの手順を示す断面図である。
【図１７】第２実施形態の電気接触子を平形柔軟ケーブルに取り付けるときの別の手順を示す断面図である。
【図１８】第３実施形態の電気接触子の斜視図である。
【図１９】第３実施形態の電気接触子を平形柔軟ケーブルに取り付けたときの要部の斜視図である。圧着片及び案内片は仮想線で示している。
【符号の説明】
１００  電気接触子
１１０  接続部
１２０  取付部
１２１  底板
１２１ａ  突起
１２２  圧着片
１２２ａ  内面
１２２ｃ  突出部
１２２ｃ’  先端
１２２ｄ  突起
１２３  案内片
２００  平形柔軟ケーブル
２１０  導体
２２０  絶縁体
２３０  圧着片に突き刺された部位
２４０  案内片に突き刺された部位
２５０  目標面
【図１】
0004004772.tif 000002
【図２】
0004004772.tif 000003
【図３】
0004004772.tif 000004
【図４】
0004004772.tif 000005
【図５】
0004004772.tif 000006
【図６】
0004004772.tif 000007
【図７】
0004004772.tif 000008
【図８】
0004004772.tif 000009
【図９】
0004004772.tif 000010
【図１０】
0004004772.tif 000011
【図１１】
0004004772.tif 000012
【図１２】
0004004772.tif 000013
【図１３】
0004004772.tif 000014
【図１４】
0004004772.tif 000015
【図１５】
0004004772.tif 000016
【図１６】
0004004772.tif 000017
【図１７】
0004004772.tif 000018
【図１８】
0004004772.tif 000019
【図１９】
0004004772.tif 000020